【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
基準信号と制御データ信号とを含む結合信号を含む波形を生成すること、ここにおいて、前記基準信号と前記制御データ信号とは、前記波形において互いの位相オフセットである、と、
サブフレーム未満の持続時間を有する送信時間間隔（ＴＴＩ）にわたって、１つのリソースブロック上で前記結合信号を含む前記波形を送信すること、ここにおいて、前記ＴＴＩの前記持続時間は、２シンボル持続時間である、と
を備え、前記波形を送信することは、前記ＴＴＩの第１のシンボル上で前記波形を送信することと、前記ＴＴＩの第２のシンボルにおいて異なるリソースブロック上で前記波形を送信することとを備え、前記異なるリソースブロックは、前記１つのリソースブロックとは異なる周波数のものである、方法。
【請求項２】
前記波形を生成することは、前記基準信号をベースシーケンスとして前記制御データ信号と結合することを備え、前記制御データ信号は、制御データと結合された前記ベースシーケンスを備える、
請求項１に記載の方法。
【請求項３】
前記制御データは、直交位相偏移変調（ＱＰＳＫ）コンスタレーションまたは１６−直交振幅変調（ＱＡＭ）コンスタレーションを使用して変調される、
請求項２に記載の方法。
【請求項４】
前記ＱＰＳＫコンスタレーションまたは前記１６−ＱＡＭコンスタレーションは、前記波形のピーク対平均電力比（ＰＡＰＲ）を低減するために選択される、
請求項３に記載の方法。
【請求項５】
前記制御データ中で不連続送信（ＤＴＸ）のフィードバックを示すために、前記ＱＰＳＫコンスタレーションまたは前記１６−ＱＡＭコンスタレーションを０に設定することをさらに備える、
請求項３に記載の方法。
【請求項６】
前記位相オフセットは、前記基準信号についての第１の位相オフセットと、前記制御データ信号についての第２の位相オフセットとを備え、前記第１の位相オフセットは、前記第２の位相オフセットと異なる、
請求項１に記載の方法。
【請求項７】
前記制御データ信号は、ハイブリッド自動再送／要求（ＨＡＲＱ）フィードバックを含む、
請求項１に記載の方法。
【請求項８】
ワイヤレス通信のためのユーザ機器であって、
トランシーバと、
バスを介して前記トランシーバと通信可能に結合された少なくとも１つのプロセッサと、
前記バスを介して前記少なくとも１つのプロセッサおよび／または前記トランシーバと通信可能に結合されたメモリと
を備え、前記少なくとも１つのプロセッサは、
基準信号と制御データ信号とを含む結合信号を含む波形を生成すること、ここにおいて、前記基準信号と前記制御データ信号とが前記波形において互いの位相オフセットである、と、
前記トランシーバを介して、サブフレーム未満の持続時間を有する送信時間間隔（ＴＴＩ）にわたって、１つのリソースブロック上で前記結合信号を含む前記波形を送信すること、ここにおいて、前記ＴＴＩの前記持続時間は、２シンボル持続時間である、と、
を行うように構成され、前記少なくともプロセッサは、前記ＴＴＩの第１のシンボル上で前記波形を送信することと、前記ＴＴＩの第２のシンボルにおいて異なるリソースブロック上で前記波形を送信することとを行うように構成され、前記異なるリソースブロックは、前記１つのリソースブロックとは異なる周波数のものである、ユーザ機器。
【請求項９】
前記少なくとも１つのプロセッサは、前記基準信号をベースシーケンスとして前記制御データ信号と結合することによって少なくとも部分的に、前記波形を生成するようにさらに構成され、前記制御データ信号は、制御データと結合された前記ベースシーケンスを備える、
請求項８に記載のユーザ機器。
【請求項１０】
前記制御データは、直交位相偏移変調（ＱＰＳＫ）コンスタレーションまたは１６−直交振幅変調（ＱＡＭ）コンスタレーションを使用して変調される、
請求項９に記載のユーザ機器。
【請求項１１】
前記波形のピーク対平均電力比（ＰＡＰＲ）を低減するために前記ＱＰＳＫコンスタレーションまたは前記１６−ＱＡＭコンスタレーションが選択される、
請求項１０に記載のユーザ機器。
【請求項１２】
前記少なくとも１つのプロセッサは、前記制御データ中で不連続送信（ＤＴＸ）のフィードバックを示すために前記ＱＰＳＫコンスタレーションまたは前記１６−ＱＡＭコンスタレーションを０に設定するようにさらに構成される、
請求項１０に記載のユーザ機器。
【請求項１３】
前記位相オフセットは、前記基準信号についての第１の位相オフセットと、前記制御データ信号についての第２の位相オフセットとを備え、前記第１の位相オフセットは、前記第２の位相オフセットと異なる、
請求項８に記載のユーザ機器。
【請求項１４】
前記制御データ信号は、ハイブリッド自動再送／要求（ＨＡＲＱ）フィードバックを含む、
請求項８に記載のユーザ機器。
【請求項１５】
通信のためのユーザ機器であって、
基準信号と制御データ信号とを含む結合信号を含む波形を生成するための手段、ここにおいて、前記基準信号と前記制御データ信号とは、前記波形において互いの位相オフセットである、と、
サブフレーム未満の持続時間を有する送信時間間隔（ＴＴＩ）にわたって、１つのリソースブロック上で前記結合信号を含む前記波形を送信するための手段、ここにおいて、前記ＴＴＩの前記持続時間は、２シンボル持続時間である、と
を備え、前記波形を送信するための手段は、前記ＴＴＩの第１のシンボル上で前記波形を送信し、前記ＴＴＩの第２のシンボルにおいて異なるリソースブロック上で前記波形を送信し、前記異なるリソースブロックは、前記１つのリソースブロックとは異なる周波数のものである、ユーザ機器。
【請求項１６】
前記波形を生成するための手段は、前記基準信号をベースシーケンスとして前記制御データ信号と結合するようにさらに構成され、前記制御データ信号は、制御データと結合された前記ベースシーケンスを備える、
請求項１５に記載のユーザ機器。
【請求項１７】
前記制御データは、直交位相偏移変調（ＱＰＳＫ）コンスタレーションまたは１６−直交振幅変調（ＱＡＭ）コンスタレーションを使用して変調される、
請求項１６に記載のユーザ機器。
【請求項１８】
前記波形のピーク対平均電力比（ＰＡＰＲ）を低減するために前記ＱＰＳＫコンスタレーションまたは前記１６−ＱＡＭコンスタレーションが選択される、
請求項１７に記載のユーザ機器。
【請求項１９】
前記制御データ中で不連続送信（ＤＴＸ）のフィードバックを示すために前記ＱＰＳＫコンスタレーションまたは前記１６−ＱＡＭコンスタレーションを０に設定するための手段をさらに備える、
請求項１７に記載のユーザ機器。
【請求項２０】
前記位相オフセットは、前記基準信号についての第１の位相オフセットと、前記制御データ信号についての第２の位相オフセットとを備え、前記第１の位相オフセットは、前記第２の位相オフセットと異なる、
請求項１５に記載のユーザ機器。
【請求項２１】
コンピュータ実行可能コードを備えるコンピュータ可読記憶媒体であって、前記コンピュータ実行可能コードは、
基準信号と制御データ信号とを含む結合信号を含む波形を生成するためのコード、ここにおいて、前記基準信号と前記制御データ信号とは、前記波形において互いの位相オフセットである、と、
サブフレーム未満の持続時間を有する送信時間間隔（ＴＴＩ）にわたって、１つのリソースブロック上で前記結合信号を含む前記波形を送信するためのコード、ここにおいて、前記ＴＴＩの前記持続時間は、２シンボル持続時間である、と
を備え、前記波形を送信するためのコードは、前記ＴＴＩの第１のシンボル上で前記波形を送信し、前記ＴＴＩの第２のシンボルにおいて異なるリソースブロック上で前記波形を送信し、前記異なるリソースブロックは、前記１つのリソースブロックとは異なる周波数のものである、非一時的コンピュータ可読記憶媒体。
【請求項２２】
前記コードは、前記基準信号をベースシーケンスとして前記制御データ信号とさらに結合し、前記制御データ信号は、制御データと結合された前記ベースシーケンスを備える、
請求項２１に記載の非一時的コンピュータ可読記憶媒体。
【請求項２３】
前記制御データは、直交位相偏移変調（ＱＰＳＫ）コンスタレーションまたは１６−直交振幅変調（ＱＡＭ）コンスタレーションを使用して変調される、
請求項２２に記載の非一時的コンピュータ可読記憶媒体。
【請求項２４】
前記波形のピーク対平均電力比（ＰＡＰＲ）を低減するために前記ＱＰＳＫコンスタレーションまたは前記１６−ＱＡＭコンスタレーションが選択される、
請求項２３に記載の非一時的コンピュータ可読記憶媒体。
【請求項２５】
前記コードは、前記制御データ中で不連続送信（ＤＴＸ）のフィードバックを示すために前記ＱＰＳＫコンスタレーションまたは前記１６−ＱＡＭコンスタレーションを０に設定するようにさらに構成される、
請求項２３に記載の非一時的コンピュータ可読記憶媒体。
【請求項２６】
前記位相オフセットは、前記基準信号についての第１の位相オフセットと、前記制御データ信号についての第２の位相オフセットとを備え、前記第１の位相オフセットは、前記第２の位相オフセットと異なる、
請求項２１に記載の非一時的コンピュータ可読記憶媒体。